【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
櫛刃ホルダ、特に、破砕ローラに設けられた切刃を備え、該切刃は、少なくとも１つの対応ホルダ又は篭に配置された櫛刃と、裁断すべき物品を破砕するために共働する、破砕装置用の櫛刃ホルダであって、少なくとも１つの櫛刃ボディ（１）と少なくとも１つの櫛刃（２）とから成っており、前記櫛刃（２）は第１の形状結合部（３）を用いて櫛刃ボディ（１）に固定可能であり、前記櫛刃ホルダに、前記櫛刃（２）を前記櫛刃ボディ（１）に固定するための少なくとも１つの別の形状結合部（４，５）が設けられている、櫛刃ホルダにおいて、
第２の形状結合部（４）が、櫛刃ボディ（１）において第１の形状結合部（３）に接続しており、切欠き（３０）の真ん中もしくは中央に、両方の形状結合面（３１，３２）を結合するウェブ面（３３）が延びていることを特徴とする、櫛刃ホルダ。
【請求項２】
前記櫛刃ボディ（１）と前記櫛刃（２）とは、前記形状結合部（３，４，５）を形成するために、取付け位置において互いに向かい合う側に、互いに対応する形状を有しており、好ましくは第１の形状結合部（３）は、側方から見てＪ字形を有する切欠き（３０）として形成されており、特に前記切欠き（３０）は、くさび形又は円錐形の、好ましくは外方に向かって延びるように形成された、形状結合面（３１，３２）を有する、請求項１記載の櫛刃ホルダ。
【請求項３】
第１の形状結合部（３）は、切断方向（Ａ）において、前記櫛刃ボディ（１）の前端部に配置されており、好ましくは切断方向で見て前記櫛刃ボディ（１）の前端部に、ノーズ（３４）が設けられており、該ノーズ（３４）は、前記切欠き（３０）の前方の終端部を形成し、かつ好ましくはローラ形状に形成されており、かつ／又は前記ノーズ（３４）に切断方向（Ａ）において、ノーズ端面（３５）及びノーズ終端部（３６）が設けられており、該ノーズ端面（３５）及びノーズ終端部（３６）は、前方のノーズ丸み部を形成している、請求項１又は２記載の櫛刃ホルダ。
【請求項４】
第２の形状結合部（４）は、櫛刃（２）のための横方向支持として設けられており、特に第２の形状結合部（４）は、第１及び第２の横方向支持面（４０，４１）を有し、該第１及び第２の横方向支持面（４０，４１）は、前記形状結合面（３１，３２）に対して曲げられ、好ましくは切断方向（Ａ）において降下するように曲げられており、この場合第２の形状結合部（４）は、好ましくは前記両横方向支持面（４０，４１）を互いに結合する横方向支持面ウェブ（４２）を有しており、かつ／又は第２の形状結合部（４）はさらに、少なくとも１つの上側の横方向面（４３）によって形成されていて、該横方向面（４３）は、前記横方向支持面ウェブ（４２）及び前記両横方向支持面（４０，４１）に接続している、請求項１から３までのいずれか１項記載の櫛刃ホルダ。
【請求項５】
前記上側の横方向面（４３）は、前記横方向支持面ウェブ（４２）及び前記両横方向支持面（４０，４１）に対して逆向きに、つまり切断方向（Ａ）とは逆向きに曲げられており、かつ／又は前記上側の横方向面（４３）及び前記両横方向支持面（４０，４１）は、くさび形又は円錐形に、好ましくは外方に向かって延びるように形成されている、請求項１から４までのいずれか１項記載の櫛刃ホルダ。
【請求項６】
櫛刃ボディ（１）の一部が、支持体（５００）として形成されており、この場合前記支持体（５００）は、好ましくは前記櫛刃（２）の切刃（２０）によって規定された切断円の近傍まで延びており、かつ／又は前記櫛刃（２）は、前記櫛刃ボディ（１）の前記支持体（５００）内に係合する、請求項１から５までのいずれか１項記載の櫛刃ホルダ。
【請求項７】
第３の形状結合部（５）は、前記支持体（５００）に設けられている、もしくは形成されており、この場合好ましくは第３の形状結合部（５）は、切断方向（Ａ）とは逆方向に見て、Ｖ字形に、受容部（５０）を形成するように後方に向かって延びており、特に前記受容部（５０）は、少なくとも１つ、好ましくは２つの受容ポケット（５０／１，５０／２）によって形成されており、及び／又は前記受容部（５０）もしくは前記受容ポケット（５０／１，５０／２）は、中央ウェブ（５１）の側部を延びている、請求項１から６までのいずれか１項記載の櫛刃ホルダ。
【請求項８】
前記受容部の前方の終端部として、ウェブ前面（５２）が用いられ、かつ／又は前記受容ポケット（５０／１，５０／２）はそれぞれ、ウェブ側面（５３，５６）、支持部（５４，５７）及び後方の支持面（５５，５８）によって形成されており、特に前記支持体（５００）は、切断方向（Ａ）で見て後方の端部に、スリット（７）を有し、該スリット（７）はそこで前記支持体（５００）を分けている、請求項１から７までのいずれか１項記載の櫛刃ホルダ。
【請求項９】
前記櫛刃ボディ（１）は、破砕装置の前記対応ホルダ又は篭に配置可能、特に固定可能であり、かつ／又は前記櫛刃ボディ（１）は、下側に、もしくは前記対応ホルダ又は篭に向いた側に、該対応ホルダ又は篭におけるセンタリングのためのセンタリング装置（６）を有しており、この場合前記櫛刃ボディ（１）の前記センタリング装置（６）は、特に溝として、特に横方向溝として、又はキーとして形成されており、該溝又はキーは、前記破砕ローラに設けられたキー又は溝と対応するようにかつ形状結合式に共働し、好ましくは前記センタリング装置（６）は、側方から見て、三角形の形状、特に、先端が上を向いている三角形の形状を有する、請求項１から８までのいずれか１項記載の櫛刃ホルダ。
【請求項１０】
前記櫛刃（２）の、取付け位置において前記櫛刃ボディ（１）に向いた側に、前記形状結合部（３，４，５）は、請求項１から９に記載された実施形態の形に相応して、形成されている、請求項１から９までのいずれか１項記載の櫛刃ホルダ。
【請求項１１】
前記櫛刃ボディ（１）及び前記櫛刃（２）は固定手段を有し、該固定手段を用いて前記櫛刃ボディ（１）及び前記櫛刃（２）は、互いに取外し可能に堅固に結合可能であり、かつ／又は前記固定手段は、少なくとも１つのねじ結合体によって形成されていて、該ねじ結合体は、前記櫛刃ボディ（１）及び前記櫛刃（２）における孔（８）を通して案内されており、かつ／又は前記櫛刃ボディ（１）及び／又は前記櫛刃（２）は、金属から、好ましくは鋳鉄から製造されており、この場合特に前記櫛刃（２）の側面（２２，２３）は、斜め上方に向かって延びて、先細になっており、もしくは外側の半径部に向かって延びていて、かつ／又は前記櫛刃（２）は、切断方向（Ａ）とは逆方向に、切刃（２０）におけるよりも細く形成されている、請求項１から１０までのいずれか１項記載の櫛刃ホルダ。
【請求項１２】
前記形状結合部（３，４，５）は、種々異なる形状の櫛刃（２）、例えば三角形、方形又は多角形の櫛刃（２）が挿入可能もしくは固定可能に、形成されており、好ましくは前記形状結合部（３，４，５）は、セルフセンタリングが該形状結合部（３，４，５）によって櫛刃（２）の固定時に行われるように、形成されている、請求項１から１１までのいずれか１項記載の櫛刃ホルダ。
【請求項１３】
前記櫛刃（２）は、切断方向（Ａ）に向いた側において、切刃（２０）に向かって、凹面状に形成された曲げ部もしくは丸み部を有し、かつ／又は凹面状に形成されており、かつ／又は前記櫛刃（２）は、装着された切刃（２０）を刃として有し、該切刃（２０）は好ましく硬質合金から形成されていて、かつ／又は前記櫛刃（２）の大きさは、種々様々な破砕課題に基づいて適合可能であり、かつ／又は前記櫛刃（２）は、切断方向（Ａ）に向いた縁部にそれぞれ１つの相（２１）を備えていて、かつ／又はそこに少なくとも１つの焼入れ、もしくは硬化された領域を有し、かつ／又は該領域は、装甲又は溶接によって形成されている、請求項１から１２までのいずれか１項記載の櫛刃ホルダ。
【請求項１４】
請求項１から１３までのいずれか１項記載の少なくとも１つの櫛刃ホルダを備える破砕装置。
【請求項１５】
対応ホルダ又は篭に配置された複数の櫛刃ホルダが設けられており、特に破砕ローラに、特に互いにずらされて配置された複数の櫛刃ホルダが設けられている、請求項１４記載の破砕装置。